(57)【特許請求の範囲】
【請求項１】
正面に物品保持用凹部領域を形成したブリスター容器と該ブリスター容器を外装するカバーケースとで構成されて、前記ブリスター容器の物品保持用凹部領域に嵩高物品を保持した状態で収容するとともに前記ブリスター容器の背面と該背面に対向するカバーケースの内面との対面間隙領域でシート状物品を保持した状態で収容する物品包装箱であって、
前記ブリスター容器が、該ブリスター容器の下端縁に一体成形したヒンジ部を介して延設された折り返しフラップを備え、前記折り返しフラップをブリスター容器の背面側に折り返して前記折り返しフラップの表面をカバーケースの内面に対向させた状態で、前記シート状物品の下端部が、前記ブリスター容器の背面と前記ヒンジ部を介した折り返しフラップの背面との間に形成されたシート下端受入領域に保持されることを特徴とする物品包装箱。
【請求項２】
前記折り返しフラップの中央部位が、前記シート状物品の下端縁に当接するフラップ凸部を有し、
前記折り返しフラップのフラップ凸部に嵌合自在なフラップ嵌合用凹部領域が、前記ブリスター容器の背面側下端部位に形成されていることを特徴とする請求項１記載の物品包装箱。
【請求項３】
前記折り返しフラップのフラップ凸部が、前記ブリスター容器のフラップ嵌合用凹部領域に嵌合された状態の上面側に前記シート状物品の下端縁をカバーケース側に誘導する逆テーパ―形状の誘導傾斜面を有していることを特徴とする請求項２記載の物品包装箱。
【請求項４】
前記ブリスター容器の背面が、前記ヒンジ部で折り返された折り返しフラップの上側領域に向かって突出して前記シート状物品の下端部を折り返しフラップ側に押圧するフラップ対向凸部を有していることを特徴とする請求項１乃至請求項３のいずれか１つに記載の物品包装箱。
【請求項５】
前記ブリスター容器のフラップ対向凸部が、前記シート状物品の下端縁を折り返しフラップ側に誘導する順テーパ―形状の誘導傾斜面を有していることを特徴とする請求項４記載の物品包装箱。
【請求項６】
前記カバーケースおよびまたはブリスター容器が、透明な樹脂フィルムからなっていることを特徴とする請求項１乃至請求項５のいずれか１つに記載の物品包装箱。
【請求項７】
前記嵩高物品が、化粧品容器からなることを特徴とする請求項１乃至請求項６のいずれか１つに記載の物品包装箱。
【請求項８】
前記シート状物品が、リーフレット、美容用マスクの少なくとも１つであることを特徴とする請求項１乃至請求項７のいずれか１つに記載の物品包装箱。
【発明の詳細な説明】
【技術分野】
【０００１】
本発明は、物品を収納するブリスター容器とこのブリスター容器を内部に収納するカバーケースとからなる物品包装箱に関するものであって、特に、化粧品、薬品などを内容物とする厚みのある容器に入った嵩高物品とリーフレット、マスクなどのシート状物品とを一体に包装する物品包装箱に関するものである。
【背景技術】
【０００２】
従来、正面視矩形状をした台状の部材からなり、商品を収納するための凹部を上面に備え、該凹部に収納された商品を保護する緩衝具と、上面が開口し且つ平面視矩形状に形成された容器状の部材からなり、その内壁間に緩衝具が収納される箱本体とから構成された包装用箱が知られている（例えば、特許文献１参照）。
【先行技術文献】
【特許文献】
【０００３】
【特許文献１】特開２００７−３１４２３０号公報（特に、請求項１、図１参照）
【発明の概要】
【発明が解決しようとする課題】
【０００４】
上述した従来の包装用箱は、店頭などに陳列する際に箱本体の凹部に収納された商品が見えるようにする構造であったため、商品の説明に用いられるリーフレットやマスクなどのシート状物品を添付する際には箱本体の背面に挿入されることがあった。
しかしながら、この挿入されたシート状物品が輸送時のガタツキや陳列時の取り扱いなどによって箱本体の背面から底部に潜り込む場合があり、このようなシート状物品の潜り込みによってシート状物品を箱本体から取り出し難くなったり、あるいは、シート状物品を箱本体から無理に取り出そうとするとシート状物品が過度に折れ曲り破損するという問題があった。
【０００５】
そこで、本発明は、前述したような従来技術の問題を解決するものであって、すなわち、本発明の目的は、シート状物品をブリスター容器の背面とカバーケースの内面との隙間に収納した際、ブリスター容器の背面から底部への潜り込みによるシート状物品の変形や破損を抑止して取り出し自在に保持する物品包装箱を提供することである。
【課題を解決するための手段】
【０００６】
本請求項１に係る発明の物品包装箱は、正面に物品保持用凹部領域を形成したブリスター容器と該ブリスター容器を外装するカバーケースとで構成されて、前記ブリスター容器の物品保持用凹部領域に嵩高物品を保持した状態で収容するとともに前記ブリスター容器の背面と該背面に対向するカバーケースの内面との対面間隙領域でシート状物品を保持した状態で収容する物品包装箱であって、前記ブリスター容器が、該ブリスター容器の下端縁に一体成形したヒンジ部を介して延設された折り返しフラップを備え、前記折り返しフラップをブリスター容器の背面側に折り返して前記折り返しフラップの表面をカバーケースの内面に対向させた状態で、前記シート状物品の下端部が、前記ブリスター容器の背面と前記ヒンジ部を介した折り返しフラップの背面との間に形成されたシート下端受入領域に保持されることにより、前述した課題を解決するものである。
【０００７】
本請求項２に係る発明の物品包装箱は、請求項１に記載された物品包装箱の構成に加えて、前記折り返しフラップの中央部位が、前記シート状物品の下端縁に当接するフラップ凸部を有し、前記折り返しフラップのフラップ凸部に嵌合自在なフラップ嵌合用凹部領域が、前記ブリスター容器の背面側下端部位に形成されていることにより、前述した課題をさらに解決するものである。
【０００８】
本請求項３に係る発明の物品包装箱は、請求項２に記載された物品包装箱の構成に加えて、前記折り返しフラップのフラップ凸部が、前記ブリスター容器のフラップ嵌合用凹部領域に嵌合された状態の上面側に前記シート状物品の下端縁をカバーケース側に誘導する逆テーパ―形状の誘導傾斜面を有していることにより、前述した課題をさらに解決するものである。
【０００９】
本請求項４に係る発明の物品包装箱は、請求項１乃至請求項３のいずれか１つに記載された物品包装箱の構成に加えて、前記ブリスター容器の背面が、前記ヒンジ部で折り返された折り返しフラップの上側領域に向かって突出して前記シート状物品の下端部を折り返しフラップ側に押圧するフラップ対向凸部を有していることにより、前述した課題をさらに解決するものである。
【００１０】
本請求項５に係る発明の物品包装箱は、請求項４に記載された物品包装箱の構成に加えて、前記ブリスター容器のフラップ対向凸部が、前記シート状物品の下端縁を折り返しフラップ側に誘導する順テーパ―形状の誘導傾斜面を有していることにより、前述した課題をさらに解決するものである。
【００１１】
本請求項６に係る発明の物品包装箱は、請求項１乃至請求項５のいずれか１つに記載された物品包装箱の構成に加えて、前記カバーケースおよびまたはブリスター容器が、透明な樹脂フィルムからなっていることにより、前述した課題をさらに解決するものである。
【００１２】
本請求項７に係る発明の物品包装箱は、請求項１乃至請求項６のいずれか１つに記載された物品包装箱の構成に加えて、前記嵩高物品が、化粧品容器からなることにより、前述した課題をさらに解決するものである。
【００１３】
本請求項８に係る発明の物品包装箱は、請求項１乃至請求項７のいずれか１つに記載された物品包装箱の構成に加えて、前記シート状物品が、リーフレット、美容用マスクの少なくとも１つであることにより、前述した課題をさらに解決するものである。
【発明の効果】
【００１４】
本発明の物品包装箱は、正面に物品保持用凹部領域を形成したブリスター容器と、このブリスター容器を外装するカバーケースとで構成されていることにより、ブリスター容器の物品保持用凹部領域に嵩高物品を保持した状態で収容するとともにブリスター容器の背面とこの背面に対向するカバーケースの内面との対面間隙領域でシート状物品を保持した状態で収容することができるばかりでなく、以下のような特有の効果を奏することができる。
【００１５】
すなわち、本請求項１に係る発明の物品包装箱によれば、ブリスター容器が、このブリスター容器の下端縁に一体成形したヒンジ部を介して延設された折り返しフラップを備えていることにより、ブリスター容器の正面に嵩高物品を保持した状態で、ブリスター容器の背面に挿入されたシート状物品の下端縁がブリスター容器とこのブリスター容器の下端縁からヒンジ部を介して延設した折り返しフラップによって保持可能となるため、シート状物品の移動を抑制するとともにシート状物品の下端縁におけるブリスター容器の背面から底部への潜り込みを阻止して、輸送時のガタツキや陳列時の取り扱いなどに起因するシート状物品の変形や破損を抑止して取り出し自在に保持することができる。
さらに、折り返しフラップをブリスター容器の背面側に折り返して折り返しフラップの表面をカバーケースの内面に対向させた状態で、シート状物品の下端部が、ブリスター容器の背面とヒンジ部を介した折り返しフラップの背面との間に形成されたシート下端受入領域に保持されることにより、シート状物品をブリスター容器の背面と折り返しフラップの背面との間に形成されたシート下端受入領域に保持した際、折り返しフラップの表面がカバーケースの内面に当接するため、折り返しフラップの背面とブリスター容器の背面との間でシート下端受入領域を確実に確保することができる。
【００１６】
本請求項２に係る発明の物品包装箱によれば、請求項１に係る発明が奏する効果に加えて、折り返しフラップの中央部位が、シート状物品の下端縁に当接するフラップ凸部を有し、折り返しフラップのフラップ凸部に嵌合自在なフラップ嵌合用凹部領域が、ブリスター容器の背面側下端部位に形成されていることにより、シート下端受入領域の底面が折り返しフラップのフラップ凸部とブリスター容器のフラップ嵌合用凹部領域とによって封止されるため、ブリスター容器がカバーケースに収納された際、フラップ凸部とフラップ嵌合用凹部領域とが嵌合して折り返しフラップの末端縁からフラップ凸部までの間にシート状物品の下端部を移動規制することができる。
さらに、折り返しフラップの中央部位に設けられたフラップ凸部によって折り返しフラップの剛性が高められるため、折り返しフラップの延設する長さが短くなり、折り返しフラップの取り扱いを向上させることができる。
【００１７】
本請求項３に係る発明の物品包装箱によれば、請求項２に係る発明が奏する効果に加えて、折り返しフラップのフラップ凸部が、ブリスター容器のフラップ嵌合用凹部領域に嵌合された状態の上面側にシート状物品の下端縁をカバーケース側に誘導する逆テーパ―形状の誘導傾斜面を有していることにより、シート状物品が物品包装箱の背面を下方に移動してシート状物品の下端縁がフラップ凸部の誘導傾斜面に当接しても、シート状物品の下端縁がカバーケース側に誘導されるため、シート状物品の下端縁がブリスター容器のフラップ嵌合用凹部領域と折り返しフラップのフラップ凸部との隙間に入り込んで折れ曲ることを抑制するとともに、シート状物品をブリスター容器の背面とこの背面に対向するカバーケースの内面との対面間隙領域である隙間を通じて物品包装箱１００の上方から取り出し易くすることができる。
【００１８】
本請求項４に係る発明の物品包装箱によれば、請求項１乃至請求項３の何れか一つに係る発明が奏する効果に加えて、ブリスター容器の背面が、ヒンジ部で折り返された折り返しフラップの上側領域に向かって突出してシート状物品の下端部を折り返しフラップ側に押圧するフラップ対向凸部を有していることにより、シート状物品の下端縁をブリスター容器の背面から離間させるとともにフラップ対向凸部にシート状物品の内容物による厚さ変移部分の下方移動を阻止するため、輸送時のガタツキや陳列時の取り扱いなどに起因する衝撃力がカバーケースの底面からシート状物品の下端縁に直接伝わることを確実に防止することができる。
【００１９】
本請求項５に係る発明の物品包装箱によれば、請求項４に係る発明が奏する効果に加えて、ブリスター容器のフラップ対向凸部が、シート状物品の下端縁を折り返しフラップ側に誘導する順テーパ―形状の誘導傾斜面を有していることにより、シート状物品の下端縁がカバーケース側に誘導されるとともにシート状物品の内容物もカバーケース側に誘導されるため、シート状物品の下端縁がブリスター容器のフラップ嵌合用凹部領域と折り返しフラップのフラップ凸部との隙間に入り込んで折れ曲ることを確実に抑制するとともに、シート状物品をブリスター容器の背面とこの背面に対向するカバーケースの内面との対面間隙領域である隙間を通じて物品包装箱の上方から取り出し易くすることができる。
【００２０】
本請求項６に係る発明の物品包装箱によれば、請求項１乃至請求項５のいずれか１つに係る発明が奏する効果に加えて、カバーケースおよびまたはブリスター容器が、透明な樹脂フィルムからなっていることにより、カバーケースおよびまたはブリスター容器に収納されている嵩高物品およびシート状物品を透視し易くなるため、ブリスター容器に保持された嵩高物品Ｍを販売する際に購買者などがブリスター容器に保持されている嵩高物品の形状や色彩などを容易に確認することができるとともに、この透明な樹脂フィルムに各種の物品情報や模様をプリントするなどして美観を向上させることができる。
【００２１】
本請求項７に係る発明の物品包装箱によれば、請求項１乃至請求項６のいずれか１つに係る発明が奏する効果に加えて、嵩高物品が、化粧品容器からなることにより、ブリスター容器が化粧品容器を確実に保持するため、高価な化粧品容器を損傷させることなく陳列や展示などの際に簡便に取り扱うことができる。
【００２２】
本請求項８に係る発明の物品包装箱によれば、請求項１乃至請求項７のいずれか１つに係る発明が奏する効果に加えて、シート状物品が、リーフレット、美容用マスクの少なくとも１つであることにより、リーフレット、美容用マスクの少なくとも１つからなるシート状物品をブリスター容器の背面とこの背面に対向するカバーケースの内面との対面間隙領域である隙間に収納した際、ブリスター容器の背面から底部への潜り込みによるシート状物品の変形や破損を抑止して取り出し自在に保持し、陳列や展示などの際に柔軟なシート状物品を嵩高物品とともに簡便に取り扱うことができる。
【図面の簡単な説明】
【００２３】
【図１】本発明の一実施例である物品包装箱を正面斜め前方から視た概略図。
【図２】本発明の一実施例である物品包装箱を背面斜め後方から視た概略図。
【図３】図２の符号３−３で視たカバーケースに対するブリスター容器の挿入状態を模式的に示した部分面図。
【図４】本発明の物品包装箱に用いたブリスター容器の折り返しフラップが開いた状態の背面側斜視図。
【図５】図４の符号５−５で視たブリスター容器の折り返しフラップが開いた状態を模式的に示した部分断面図。
【図６】本発明の物品包装箱に用いたブリスター容器にシート状物品を設置した状態の背面側斜視図。
【図７】図６の符号７−７で視たシート状物品を設置したブリスター容器の状態を模式的に示した部分断面図。
【図８】本発明の物品包装箱に用いたブリスター容器の折り返しフラップが折り返しを開始した状態を示す背面側斜視図。
【図９】図８の符号９−９で視た折り返しフラップの折り返し開始状態を模式的に示した部分断面図。
【図１０】本発明の物品包装箱に用いたブリスター容器の折り返しフラップが折り返しを終了した状態を示す背面側斜視図。
【図１１】図１０の符号１１−１１で視た折り返しフラップの折り返し終了状態を模式的に示した部分断面図。
【図１２】本発明の物品包装箱に用いたブリスター容器をカバーケースに挿入開始した状態の背面側斜視図。
【図１３】本発明の物品包装箱に用いたブリスター容器の変形例１。
【図１４】本発明の物品包装箱に用いたブリスター容器の変形例２。
【図１５】本発明の物品包装箱に用いたブリスター容器の変形例３。
【発明を実施するための形態】
【００２４】
本発明は、正面に物品保持用凹部領域を形成したブリスター容器とこのブリスター容器を外装するカバーケースとで構成されて、ブリスター容器の物品保持用凹部領域に嵩高物品を保持した状態で収容するとともにブリスター容器の背面とこの背面に対向するカバーケースの内面との対面間隙領域でシート状物品を保持した状態で収容する物品包装箱であって、ブリスター容器が、このブリスター容器の下端縁に一体成形したヒンジ部を介して延設された折り返しフラップを備え、折り返しフラップをブリスター容器の背面側に折り返して折り返しフラップの表面をカバーケースの内面に対向させた状態で、シート状物品の下端部が、ブリスター容器の背面とヒンジ部を介した折り返しフラップの背面との間に形成されたシート下端受入領域に保持され、シート状物品をブリスター容器の背面とこの背面に対向するカバーケースの内面との対面間隙領域である隙間に収納した際、ブリスター容器の背面から底部への潜り込みによるシート状物品の変形や破損を抑止して取り出し自在に保持する物品包装箱を提供するものであれば、その具体的な実施態様は、如何なるものであっても構わない。
【００２５】
すなわち、本発明における物品包装箱に用いられるカバーケースの具体的な素材については、物品包装箱のカバーケースに通常採用されている素材であれば如何なる素材であっても差し支えなく、たとえば、ポリエチレンテレフタレート（ＰＥＴ）、ポリプロピレン（ＰＰ）、ポリ塩化ビニル（ＰＶＣ）、ポリスチレン（ＰＳ）等の樹脂フィルム、上質紙・中質紙の正面に白色顔料と接着剤などを混ぜた塗料を塗って平滑性をもたせたコート紙、アルミ蒸着したポリエチレンテレフタレートフィルムをコート紙などのベース紙の正面に被覆してなる蒸着紙、ボール紙、コートボール紙などの紙材であっても構わない。
さらに、カバーケースの素材に透明な樹脂フィルムを用いた場合には、ブリスター容器に収納されている物品を透視し易く、物品の形状や色彩などを容易に確認することができ、しかも、この透明な樹脂フィルムに各種の物品情報や模様をプリントするなどして美観を向上させることができるので、より好ましい。
【００２６】
また、本発明における物品包装箱に用いられるブリスター容器の具体的な素材については、物品包装箱のブリスター容器に通常採用されている素材であれば如何なる素材であっても差し支えなく、たとえば、ポリエチレンテレフタレート（ＰＥＴ）、ポリプロピレン（ＰＰ）、ポリ塩化ビニル（ＰＶＣ）、ポリスチレン（ＰＳ）等の樹脂を金型などで成型した射出成形品や板状樹脂をバキュームフォームなどで成型したブリスター成型品であっても、上質紙・中質紙の正面に白色顔料と接着剤などを混ぜた塗料を塗って平滑性をもたせたコート紙、アルミ蒸着したポリエチレンテレフタレートフィルムをコート紙などのベース紙の正面に被覆してなる蒸着紙、ボール紙、コートボール紙などの紙材を成形した成形品であっても構わない。
【００２７】
本発明の物品包装箱は、カバーケースに対してブリスター容器を上方あるいは下方から出し入れする、所謂、縦置き状態として使用するものであるが、本発明の物品包装箱を左右いずれかに９０度回動させて部品を横方向から出し入れする、所謂、横置き状態としても使用することができることは言うまでもない。
【００２８】
また、本発明における物品包装箱に用いられるブリスター容器の折り返しフラップは、ブリスター容器の下端縁に少なくとも１つ用いるが、箱寸法の大型化に伴って各々を複数用いた構造としても良いことは言うまでもない。
【実施例１】
【００２９】
以下に、本発明の一実施例である物品包装箱１００について、図１乃至図１２に基づいて説明する。
ここで、図１は、本発明の一実施例である物品包装箱を正面斜め前方から視た概略図であり、図２は、本発明の一実施例である物品包装箱を背面斜め後方から視た概略図であり図３は、図２の符号３−３で視たカバーケースに対するブリスター容器の挿入状態を模式的に示した部分面図であり、図４は、本発明の物品包装箱に用いたブリスター容器の折り返しフラップが開いた状態の背面側斜視図であり、図５は、図４の符号５−５で視たブリスター容器の折り返しフラップが開いた状態を模式的に示した部分断面図であり、図６は、本発明の物品包装箱に用いたブリスター容器にシート状物品を設置した状態の背面側斜視図であり、図７は、図６の符号７−７で視たシート状物品を設置したブリスター容器の状態を模式的に示した部分断面図であり、図８は、本発明の物品包装箱に用いた示すブリスター容器の折り返しフラップが折り返しを開始した状態を示す背面側斜視図であり、図９は、図８の符号９−９で視た折り返しフラップの折り返し開始状態を模式的に示した部分断面図であり、図１０は、本発明の物品包装箱に用いたブリスター容器の折り返しフラップが折り返しを終了した状態を示す背面側斜視図であり、図１１は、図１０の符号１１−１１で視た折り返しフラップの折り返し終了状態を模式的に示した部分断面図であり、図１２は、本発明の物品包装箱に用いたブリスター容器をカバーケースに挿入開始した状態の背面側斜視図である。
また、本実施例の説明において、「上」、「下」、「左」、「右」は、図１および図２に示すように組み立てられた物品包装箱を基準とした「上」、「下」、「左」、「右」、すなわち、ブリスター容器に収納された物品が見える面を「正面」、正面に収納された物品の蓋側を「上」とし、正面から背面へ向かって見たときの「左」、「右」である。
【００３０】
本発明の一実施例である物品包装箱１００は、図１および図２に示すように、カバーケース１１０と、化粧品容器からなる嵩高物品Ｍを保持するブリスター容器１２０とからなる。
カバーケース１１０は、１枚のブランクシートとしてポリプロピレンからなる透明な樹脂フィルムを用いて形成した外箱である。
これにより、カバーケース１１０に収納されているブリスター容器１２０を透視し易くなるため、ブリスター容器１２０に保持された化粧品容器からなる嵩高物品Ｍを販売する際に購買者などがブリスター容器に保持されている化粧品容器からなる嵩高物品Ｍの形状や色彩などを容易に確認することができるとともに、この透明な樹脂フィルムに各種の物品情報や模様をプリントするなどして美観を向上させることができる。
【００３１】
ブリスター容器１２０は、図１乃至図５に示すように、ブリスター容器１２０と、ヒンジ部１２２と、折り返しフラップ１２３とからなる。
ブリスター容器１２０の正面中央には、物品保持用凹部領域Ａ１が設けられ、この物品保持用凹部領域Ａ１に厚みのある物品である嵩高物品Ｍを収納して保持している。
本発明の一実施例である物品包装箱１００では、図１に示すように、ブリスター容器１２０の物品保持用凹部領域Ａ１が２つ設けられており、右側の物品保持用凹部領域Ａ１に収納する背低な嵩高物品Ｍは、具体的には美容乳液用ポンプ容器からなる化粧品容器であり、他方、左側の物品保持用凹部領域Ａ１に収納する背高な嵩高物品Ｍは、具体的には美容液用容器からなる化粧品容器である。
【００３２】
ブリスター容器１２０の物品保持用凹部領域Ａ１の下方には、図２および図３に示すように、折り返しフラップ１２３が折り返された際に対向するように、背面側に凸状のフラップ対向凸部１２４が形成されている。
このフラップ対向凸部１２４は、図３に示すように、断面視で上方から順に、上方から下方に向けて正面側から背面側に徐々に下降して突出する順テーパ―形状の対向凸部上面１２４ａ、背面に平行な面で折り返しフラップ１２３に対向するフラップ対向面１２４ｂ、上方から下方に向けて背面側から正面側に湾曲する対向凸部下面１２４ｃから構成されている。
これにより、ブリスター容器１２０の背面に美容用マスクからなるシート状物品Ｓの下端縁がブリスター容器１２０のフラップ対向凸部１２４に当接した際、フラップ対向凸部１２４の対向凸部上面１２４ａが、順テーパ―形状の誘導傾斜面であることから、美容用マスクからなるシート状物品Ｓの下端縁をブリスター容器１２０の背面から離間する方向、すなわち、折り返しフラップ１２３に向けて誘導する。
【００３３】
また、ブリスター容器１２０の物品保持用凹部領域Ａ１の下方には、背面側から正面側に凸状に形成され、背面側に凹状のフラップ嵌合用凹部領域Ａ４と、正面側に凸状の容器底壁１２８とを構成している。
そして、この物品保持用凹部領域Ａ１の下方に形成された容器底壁１２８によって、物品保持用凹部領域Ａ１に収納された嵩高物品Ｍが、輸送時のガタツキや陳列時の取り扱いなどに起因する衝撃力を物品包装箱１００の底側から直接伝わることを防止している。
【００３４】
さらに、フラップ対向凸部１２４が、シート状物品Ｓの内容物による厚さ変移部分に干渉して、シート状物品Ｓの下方移動を阻止している。
これにより、フラップ対向凸部１２４のフラップ対向面１２４ｂの上下方向の長さをシート状物品Ｓの内容物による厚さ変移部分から下端まで長さよりも長くすれば、シート状物品Ｓがフラップ対向凸部１２４とカバーケース１１０の内面で中吊り状態になる。
そして、シート状物品Ｓの下端縁が、ブリスター容器１２０の背面から底部への潜り込みを阻止して、輸送時のガタツキや陳列時の取り扱いなどに起因するシート状物品Ｓの変形や破損を抑止して取り出し自在に保持する構造になることは言うまでもない。
【００３５】
ブリスター容器１２０の下端縁には、ヒンジ部１２２を介して連結された折り返しフラップ１２３が延設されている。
折り返しフラップ１２３は、ヒンジ部１２２で折り返されてブリスター容器１２０の背面に対向する。
これにより、ブリスター容器１２０の正面に嵩高物品Ｍを保持した状態で、ブリスター容器１２０の背面に挿入されたシート状物品Ｓの下端縁が、ブリスター容器１２０とこのブリスター容器１２０の下端縁からヒンジ部１２２を介して延設した折り返しフラップ１２３によって保持可能となる。
【００３６】
ヒンジ部１２２は、図４および図５に示すように、ブリスター容器１２０の正面から背面の方向に凸凹凸の順に湾曲したＭ形状からなる。
なお、ヒンジ部１２２は、凹状に湾曲したＶ形状であっても、両側から肉厚を薄くする形状であっても、罫線による折り曲げ形状であっても、ミシン目であっても、ハーフカットであっても構わない。
そして、このヒンジ部１２２は、折り返しフラップ１２３がブリスター容器１２０の背面方向に向けて折り返すのを助けている。
【００３７】
折り返しフラップ１２３は、フラップベース１２３ａと、このフラップベース１２３ａの中央部位に膨出したフラップ凸部１２３ｂとから構成されている。
すなわち、このフラップ凸部１２３ｂは、ヒンジ部１２２でブリスター容器１２０の背面側へ折り返す前の状態において、ブリスター容器１２０の正面から背面に向かう方向に突出している。
これにより、折り返しフラップ１２３の剛性が、折り返しフラップ１２３の中央部位に設けられたフラップ凸部１２３ｂによって高められる。
【００３８】
フラップ凸部１２３ｂは、図５に示すように、断面視で上方から順に、上方から下方に向けて正面側から背面側に徐々に突出する順テーパ―形状のフラップ凸部１２３ｂの上面、背面に平行な面で折り返し、フラップ嵌合用凹部領域Ａ４に嵌合するフラップ凸部１２３ｂの頂面、下方から上方に向けて背面側から正面側に徐々に上昇する逆テーパ―形状のフラップ凸部下面１２３ｃから構成されている。
すなわち、フラップベース１２３ａとフラップ凸部下面１２３ｃとのなす角度が、鋭角となっている。
【００３９】
フラップ凸部１２３ｂのフラップ凸部下面１２３ｃは、フラップ凸部１２３ｂがヒンジ部１２２で折り返された際、フラップ凸部１２３ｂがブリスター容器１２０のフラップ嵌合用凹部領域に嵌合された状態の上面側になる。
これにより、物品包装箱１００のカバーケース１１０とブリスター容器１２０との対面間隙領域Ａ２で挿入されたシート状物品Ｓがブリスター容器１２０背面を下方に移動してシート状物品Ｓの下端縁が折り返しフラップ１２３のフラップ凸部１２３ｂに当接した際、フラップ凸部１２３ｂのフラップ凸部下面１２３ｃが逆テーパ―形状の誘導傾斜面であることから、シート状物品Ｓの下端縁がブリスター容器１２０の背面から離間するカバーケース側、すなわち、折り返しフラップ１２３のフラップベース１２３ａに向けて誘導される。
なお、フラップ凸部１２３ｂのフラップ凸部下面１２３ｃは、逆テーパ―形状の誘導傾斜面としているが、フラット面、順テーパ―形状であっても、フラップ凸部１２３ｂがブリスター容器１２０のフラップ嵌合用凹部領域に嵌合された状態になるため、シート状物品Ｓの下端縁におけるブリスター容器１２０の背面から底部への潜り込みを阻止して、輸送時のガタツキや陳列時の取り扱いなどに起因するシート状物品Ｓの変形や破損を抑止して取り出し自在に保持する構造になることは言うまでもない。
【００４０】
さらに、折り返しフラップ１２３のフラップ凸部１２３ｂは、図２および図３に示すように、ヒンジ部１２２で折り返した際に、ブリスター容器１２０の背面に設けられたフラップ嵌合用凹部領域Ａ４に嵌合する構造となっている。
折り返しフラップ１２３のフラップ凸部１２３ｂがブリスター容器１２０のフラップ嵌合用凹部領域Ａ４に嵌合することにより、ブリスター容器１２０の背面と折り返しフラップ１２３の背面との間に形成されたシート下端受入領域Ａ３の底面が折り返しフラップ１２３のフラップ凸部１２３ｂとブリスター容器１２０のフラップ嵌合用凹部領域Ａ４とによって係止される。
【００４１】
また、折り返された折り返しフラップ１２３は、図２および図３に示すように、ブリスター容器１２０の背面と折り返しフラップ１２３の背面との間に形成されたシート下端受入領域Ａ３にシート状物品Ｓの下端部を保持しているとともに折り返しフラップ１２３の表面をカバーケース１１０の内面に対向している。
これにより、シート状物品Ｓの下端部をブリスター容器１２０の背面と折り返しフラップ１２３の背面との間に形成されたシート下端受入領域Ａ３に保持した際、折り返しフラップ１２３の表面がカバーケース１１０の内面に対向して当接する。
【００４２】
次に、本発明の一実施例である物品包装箱１００の組み立て方を、図２乃至図１２に基づいて説明する。
図３乃至図７に示すように、シート状物品Ｓが、ブリスター容器１２０におけるブリスター容器１２０の背面に載置される。
そして、図８および図９に示すように、折り返しフラップ１２３が、ヒンジ部１２２で１８０°反転するように表面側が山になる山折りで折り返される。
【００４３】
折り返しフラップ１２３が折り返されると、図１０および図１１に示すように、折り返しフラップ１２３のフラップ凸部１２３ｂが、ブリスター容器１２０のフラップ嵌合用凹部領域Ａ４に嵌合する。
そして、シート状物品Ｓの下端縁は、ブリスター容器１２０のフラップ対向凸部と折り返しフラップ１２３のフラップベース１２３ａとの間に保持される。
【００４４】
シート状物品Ｓの下端縁が保持された状態で、嵩高物品Ｍが、ブリスター容器１２０の正面に設けられた物品保持用凹部領域Ａ１に収容される。
図１２に示すように、ブリスター容器１２０が、カバーケース１１０に外装される。
そして、カバーケース１１０の両ケース底蓋サイドパネル１１６が相互にほぼ９０度となるように山折りで折り曲げられ、ケース底蓋パネル１１２とケース底蓋差し込み片１１４が、相互にほぼ９０度となるように山折りで折り曲げられる。
その後、図２および図３に示すように、ケース底蓋パネル１１２が、ほぼ９０度となるように山折りで折り曲げられ、ケース底蓋差し込み片１１４を差し込んで係止することにより、物品包装箱１００の組み立てが完了する。
【００４５】
なお、本発明の一実施例において、ブリスター容器１２０は、図１に示すように、ブリスター容器１２０の物品保持用凹部領域Ａ１が２つ設けられており、右側の物品保持用凹部領域Ａ１と左側の物品保持用凹部領域Ａ１とに異なる形状の嵩高物品Ｍを収納する構造について説明したが、物品保持用凹部領域Ａ１が１つ設けられた構造であればよく、複数の物品保持用凹部領域Ａ１設けられた場合に同形状や異形状の物品保持用凹部領域Ａ１が混在して設けられている構造を採用しても良い。
また、本発明の一実施例において、ブリスター容器１２０は、図１に示すように、ブリスター容器１２０の容器底壁１２８が、２つの物品保持用凹部領域Ａ１に亘る曲線状の切欠き底壁１２８ａが設けられた構造を採用しているが、例えば、図１３に示すように、ブリスター容器２２０の容器底壁２２８に切欠き凹部が設けられていない構造や、図１４に示すように、ブリスター容器３２０の容器底壁３２８に２つの物品保持用凹部領域Ａ１の各々に対して切欠き底壁３２８ａが設けられた構造を採用しても良い。
【００４６】
さらに、図１５に示すように、ブリスター容器４２０に容器底壁が設けられていない構造を採用しても良い。
ブリスター容器４２０に容器底壁が設けられていない構造を採用した場合、物品保持用凹部領域Ａ１の底面にフラップ対向凸部４２４による凹形状が現れる。
なお、これらの容器底壁の構造は、物品保持用凹部領域に収納される嵩高物品Ｍの構造や内容物、その嵩高物品Ｍのデザイン性に合わせて選定される。
【００４７】
このようにして得られた本発明の一実施例である物品包装箱１００は、正面に物品保持用凹部領域Ａ１を形成したブリスター容器１２０と、このブリスター容器１２０を外装するカバーケース１１０とで構成されていることにより、輸送時のガタツキや陳列時の取り扱いなどに起因する化粧品容器からなる嵩高物品Ｍの破損を防止することができるばかりでなく、ブリスター容器１２０の下端縁に一体成形したヒンジ部１２２を介して延設されてヒンジ部１２２で折り返されてブリスター容器１２０の背面に対向する折り返しフラップ１２３とを備えていることにより、美容用マスクからなるシート状物品Ｓの移動を抑制するとともに美容用マスクからなるシート状物品Ｓの下端縁におけるブリスター容器１２０の背面から底部への潜り込みを阻止して、輸送時のガタツキや陳列時の取り扱いに起因するシート状物品Ｓの変形や破損を抑止して取り出し自在に保持することができる。
さらに、ブリスター容器１２０の背面と折り返しフラップ１２３の背面との間に形成されたシート下端受入領域Ａ３にシート状物品Ｓの下端部を保持しているとともに折り返しフラップ１２３の表面をカバーケース１１０の内面に対向させていることにより、折り返しフラップ１２３の背面とブリスター容器１２０の背面との間でシート下端受入領域Ａ３を確実に確保することができる。
【００４８】
そして、折り返しフラップ１２３の中央部位が、シート状物品Ｓの下端縁に当接するフラップ凸部１２３ｂを有し、折り返しフラップ１２３のフラップ凸部１２３ｂに嵌合自在なフラップ嵌合用凹部領域Ａ４が、ブリスター容器１２０の背面側下端部位に形成されていることにより、ブリスター容器１２０がカバーケース１１０に収納された際、フラップ凸部１２３ｂとフラップ嵌合用凹部領域Ａ４とが嵌合して折り返しフラップ１２３の末端縁からフラップ凸部１２３ｂまでの間にシート状物品Ｓの下端部を移動規制することができる。
さらに、折り返しフラップ１２３の延設する長さが短くなり、折り返しフラップ１２３の取り扱いを向上させることができる。
【００４９】
また、折り返しフラップ１２３のフラップ凸部１２３ｂが、ブリスター容器１２０のフラップ嵌合用凹部領域Ａ４に嵌合された状態の上面側にシート状物品Ｓの下端縁をカバーケース側に誘導する逆テーパ―形状の誘導傾斜面をなすフラップ凸部下面１２３ｃを有していることにより、シート状物品Ｓの下端縁がブリスター容器１２０のフラップ嵌合用凹部領域Ａ４と折り返しフラップ１２３のフラップ凸部１２３ｂとの隙間に入り込んで折れ曲ることを抑制するとともに、美容用マスクからなるシート状物品Ｓをブリスター容器１２０の背面とこの背面に対向するカバーケース１１０の内面との対面間隙領域Ａ２である隙間を通じて物品包装箱１００の上方から取り出し易くすることができる。
【００５０】
さらに、ブリスター容器１２０の背面が、ヒンジ部１２２で折り返された折り返しフラップ１２３の上側領域に向かって突出してシート状物品Ｓの下端部を折り返しフラップ側に押圧するフラップ対向凸部１２４を有していることにより、輸送時のガタツキや陳列時の取り扱いなどに起因する衝撃力がカバーケース１１０の底面からシート状物品Ｓの下端縁に直接伝わることを確実に防止することができる。
【００５１】
また、ブリスター容器１２０のフラップ対向凸部１２４が、シート状物品Ｓの下端縁を折り返しフラップ側に誘導する順テーパ―形状の誘導傾斜面をなす対向凸部上面１２４ａを有していることにより、シート状物品Ｓの下端縁がブリスター容器１２０のフラップ嵌合用凹部領域Ａ４と折り返しフラップ１２３のフラップ凸部１２３ｂとの隙間に入り込んで折れ曲ることを確実に抑制するとともに、シート状物品Ｓをブリスター容器１２０の背面とこの背面に対向するカバーケース１１０の内面との対面間隙領域Ａ２である隙間を通じて物品包装箱１００の上方から取り出し易くすることができるなど、その効果は甚大である。
【符号の説明】
【００５２】
１００  ・・・  物品包装箱
１１０  ・・・  カバーケース
１１２  ・・・  ケース底蓋パネル
１１４  ・・・  ケース底蓋差し込み片
１１６  ・・・  ケース底蓋サイドパネル
１２０、２２０、３２０、４２０  ・・・  ブリスター容器
１２２  ・・・  ヒンジ部
１２３  ・・・  折り返しフラップ
１２３ａ・・・  フラップベース
１２３ｂ・・・  フラップ凸部
１２３ｃ・・・  フラップ凸部下面（誘導傾斜面）
１２４、４２４  ・・・  フラップ対向凸部
１２４ａ・・・  対向凸部上面（誘導傾斜面）
１２４ｂ・・・  フラップベース対向面
１２４ｃ・・・  対向凸部下面
１２８、２２８、３２８  ・・・  容器底壁
１２８ａ、３２８ａ・・・切欠き底壁
Ａ１  ・・・  物品保持用凹部領域
Ａ２  ・・・  対面間隙領域
Ａ３  ・・・  シート下端受入領域
Ａ４  ・・・  フラップ嵌合用凹部領域
Ｍ    ・・・  嵩高物品（物品）
Ｓ    ・・・  シート状物品（物品）
【図１】
0006692697.tif 000002
【図２】
0006692697.tif 000003
【図３】
0006692697.tif 000004
【図４】
0006692697.tif 000005
【図５】
0006692697.tif 000006
【図６】
0006692697.tif 000007
【図７】
0006692697.tif 000008
【図８】
0006692697.tif 000009
【図９】
0006692697.tif 000010
【図１０】
0006692697.tif 000011
【図１１】
0006692697.tif 000012
【図１２】
0006692697.tif 000013
【図１３】
0006692697.tif 000014
【図１４】
0006692697.tif 000015
【図１５】
0006692697.tif 000016